(57)【要約】【課題】  主として床暖房配管や電気配線用配管を床下面等に配設された鉄筋に簡単かつ確実に固定出来る簡素な構造を有し施工性、信頼性に優れ、該配管の施工と配管類固定具の設計製作にかかる工数と時間を低減できて生産性に優れ、鉄筋径と配管径の多数の組み合わせに対応可能で該配管を任意の向きで固定できる汎用性に優れる配管類固定具を提供することを目的とする【解決手段】  床下面や壁裏面等の平面に配設された鉄筋に床暖房や電気配線用等の配管を固定するための配管類固定具であって、下部が開口した略円弧状で鉄筋に係止される鉄筋嵌合部が形成された下部鉄筋固定部と、上部又は側部等が開口した略円弧状で配管に係止される配管嵌合部が形成された上部配管固定部と、を備え、鉄筋嵌合部の軸心と配管嵌合部の軸心が平行又は直交して形成されている。【選択図】  図１
2005147182.tif 000002
【特許請求の範囲】
【請求項１】
床下面や壁裏面等の平面に配設された鉄筋に床暖房や電気配線用等の配管を固定するための配管類固定具であって、下部が開口した略円弧状で前記鉄筋に係止される鉄筋嵌合部が形成された下部鉄筋固定部と、上部又は側部等が開口した略円弧状で前記配管に係止される配管嵌合部が形成された上部配管固定部と、を備え、前記鉄筋嵌合部の軸心と前記配管嵌合部の軸心が平行又は直交して形成されていることを特徴とする配管類固定具。
【請求項２】
床下面や壁裏面等の平面に配設された鉄筋に床暖房や電気配線用等の配管を固定するための配管類固定具であって、略円弧状で前記鉄筋に係止される鉄筋嵌合部と前記鉄筋嵌合部の上部に形成された平面上の当接上面部とを有する鉄筋固定部材と、平面上に形成された当接底面部と前記当接底面部の上部に形成された略円弧状で前記配管に係止される配管嵌合部とを有する配管固定部材と、前記鉄筋固定部材の前記当接上面部と前記配管固定部材の前記当接底面部を当接させて回動自在に遊嵌する嵌着機構と、を備えていることを特徴とする配管類固定具。
【請求項３】
前記鉄筋嵌合部及び／又は前記配管嵌合部の開口部両端に形成された嵌合案内部を有することを特徴とする請求項１又は２に記載の配管類固定具。
【請求項４】
前記下部鉄筋固定部又は前記鉄筋固定部材の下部に対向して配設又は延設された鉄筋案内用板ばね部と、前記鉄筋案内用板ばね部に配設又は延設された鉄筋案内部と、を有することを特徴とする請求項１乃至３の内いずれか１項に記載の配管類固定具。
【請求項５】
前記鉄筋案内部の先端から延設され鉄筋の下面若しくは側面に当接する補助支持部を有することを特徴とする請求項４に記載の配管類固定具。
【請求項６】
前記上部配管固定部又は前記配管固定部材の上部に対向して配設又は延設された配管案内用板ばね部と、前記配管案内用板ばね部に配設又は延設された配管案内部と、を有することを特徴とする請求項１乃至５の内いずれか１項に記載の配管類固定具。
【請求項７】
前記配管案内部の先端から延設され前記配管の上面若しくは側面に当接する補助押圧部を有することを特徴とする請求項６に記載の配管類固定具。
【請求項８】
前記鉄筋固定部材が、内径が異なる複数の前記鉄筋嵌合部を有することを特徴とする請求項２又は３に記載の配管類固定具。
【請求項９】
前記配管固定部材が、内径が異なる複数の前記配管嵌合部を有することを特徴とする請求項２，３，８の内いずれか１項に記載の配管類固定具。
【発明の詳細な説明】
【技術分野】
【０００１】
本発明は、主として床暖房配管や電気配線用配管を、床下面または壁裏面等に配設された鉄筋に簡単に固定出来る簡素な構造を有する配管類固定具に関するものである。
【背景技術】
【０００２】
従来、床暖房配管や電気配線用配管等を床下面等に配設された鉄筋に固定する手段としては、所望の経路に従って配管を鉄筋上に配設した後、配管及び鉄筋の両方を拘束するように結束線や針金等を巻回して固定していた。
床暖房等の配管は、全長数十メートルあるいは数百メートルにも及ぶ小径の配管を床下面に所望の経路にそって蛇行させながら配設する。平行して配設された配管部分間の距離は床面での温度斑を防ぐため所望の間隔を保持しなければならず、コンクリート等の打設が完了し、コンクリートが凝固するまで、配管全体としての配置が所望の配置からずれるようなことがあってはならない。配管を敷設する床下面全体にわたり配管を確実に固定するには、この固定間隔は数十センチメートル程度となり、配管の全長と比較すると極めて短距離にする必要がある。従って固定箇所の総数は数百カ所以上になることもある。
また、（特許文献１）には、レール部材に係止されて配管を固定するものとして「配管を抱く嵌合部とレール部材に対する係止用の脚部と脚部と反対側に形成された座部とを備えた金具本体と、座部に設けた通孔に挿通されたねじと、ねじに螺通される締め付け部材とを備えた配管類固定具」が開示されている。
【特許文献１】実開平５−２７４７８号公報
【発明の開示】
【発明が解決しようとする課題】
【０００３】
しかしながら上記従来の技術では、以下のような課題を有していた。
（１）従来の結束線や針金等による結束固定は、極めて作業性が悪く、固定箇所が多数に渡ると多大な工数と時間がかかるという課題を有していた。特に、針金等の金属線による結束の場合は、作業時に配管の表面に傷が付いたり、経時変化により錆が発生したりして、耐久性や信頼性に欠け、見栄えも悪いという課題を有していた。
（２）（特許文献１）の配管類固定具は、固定のためにレール部材を必要とするので施工性、汎用性に欠け、固定具自体の構造が複雑であるために設計及び製作に工数と時間がかかり生産性に欠け、固定具自体の価格が高価になると共に、固定作業が煩雑で作業性に欠けるという課題を有していた。
【０００４】
本発明は、上記課題を解決するもので、主として床暖房配管や電気配線用配管を床下面等に配設された鉄筋に簡単かつ確実に固定出来る簡素な構造を有し施工性、信頼性に優れ、該配管の施工と配管類固定具の設計製作にかかる工数と時間を低減できて生産性に優れ、鉄筋径と配管径の多数の組み合わせに対応可能で該配管を任意の向きで固定できる汎用性に優れる配管類固定具を提供することを目的とする。
【課題を解決するための手段】
【０００５】
上記課題を解決するために本発明の配管類固定具は、以下の構成を有している。
本発明の請求項１に記載の配管類固定具は、床下面や壁裏面等の平面に配設された鉄筋に床暖房や電気配線用等の配管を固定するための配管類固定具であって、下部が開口した略円弧状で前記鉄筋に係止される鉄筋嵌合部が形成された下部鉄筋固定部と、上部又は側部等が開口した略円弧状で前記配管に係止される配管嵌合部が形成された上部配管固定部と、を備え、前記鉄筋嵌合部の軸心と前記配管嵌合部の軸心が平行又は直交して形成されている構成を有している。
この構成により、以下のような作用を有する。
（１）下部が開口し鉄筋に係止される略円弧状の鉄筋嵌合部と、上部又は側部等が開口し配管が嵌合される略円弧状の配管嵌合部と、を有することで、鉄筋に容易に配管を固定することができ、鉄筋嵌合部の軸心と配管嵌合部の軸心が平行又は直交して形成されていることで、配管を鉄筋に対して平行又は直交させて配設することができ、配管の自在性に優れる。
（２）鉄筋嵌合部の下部が開口して形成されているので、鉄筋の上方から鉄筋嵌合部を押圧して容易に鉄筋の外周に鉄筋嵌合部を係止させて確実に固定することができる。
（３）配管嵌合部の上部又は側部等が開口して形成されているので、配管嵌合部の上部又は側部等から容易に配管を着脱することができ、配管嵌合部で配管の側部や上部等を確実に保持して固定することができる。
【０００６】
ここで、下部鉄筋固定部及び上部配管固定部には、ポリプロピレン、ポリエチレン、硬質ゴム、ポリ塩化ビニル樹脂等の合成樹脂製や軟鋼等の金属製のものが好適に用いられる。合成樹脂製のものは加工性、低コスト性、耐腐食性、見栄えの点で優れ、経時変化が少なく、作業時に配管を傷つける可能性も少ないので信頼性に優れる。金属製のものは機械的強度が高く、耐久性や信頼性に優れ、特にステンレス鋼等は耐腐蝕性を有するので好ましい。
下部鉄筋固定部及び上部配管固定部は、配管の復元力に抗して確実に配管を固定するために必要な剛性を有する必要がある。尚、配管嵌合部の縁や内周に面取りを施した場合、配管を傷つけ難く信頼性に優れる。また、鉄筋嵌合部及び配管嵌合部の開口部の端部に外方に向かって拡開したテーパ状や略円弧状等の案内部を形成した場合、鉄筋や配管の着脱を容易に行なうことができる。
床下面や壁裏面等に格子状に配設される鉄筋には、主に外径６ｍｍ〜２０ｍｍの数種類の鉄筋が使用されるので、それらの外径に合わせて鉄筋嵌合部の内径を形成する。また、床暖房配管では主に外径１３ｍｍ〜２７ｍｍ、電気配線用配管では主に外径１９ｍｍ〜５０ｍｍの範囲で数種類の樹脂製配管が使用されるので、それらの外径に合わせて配管嵌合部の内径を形成する。これらの内径が異なる鉄筋嵌合部と配管嵌合部を組合わせて形成した配管類固定具を複数種類、用意することにより、現場での施工性に優れる。
【０００７】
鉄筋嵌合部及び配管嵌合部が形成される下部鉄筋固定部及び上部配管固定部の幅は５ｍｍ〜２５ｍｍが好ましい。下部鉄筋固定部及び上部配管固定部の幅が５ｍｍより狭くなるにつれ、鉄筋嵌合部の鉄筋への固定力及び配管嵌合部の配管の保持力が低下し、振動や外部からの衝撃等により配管類固定具が回転したり、鉄筋から鉄筋嵌合部が外れたり、或いは配管が配管嵌合部から外れ易くなる傾向があり、幅が２５ｍｍより広くなるにつれ、鉄筋嵌合部及び配管嵌合部が変形し難く、鉄筋や配管との着脱が困難になって作業性が低下すると共に、生産性や取り扱い性が低下する傾向があり、いずれも好ましくない。尚、鉄筋嵌合部及び配管嵌合部の幅のみを下部鉄筋固定部及び上部配管固定部のその他の部分よりも狭く形成したり、鉄筋嵌合部及び配管嵌合部の根元の幅をその他の部分よりも狭く形成したりしても、鉄筋嵌合部及び配管嵌合部が変形し易く施工性に優れる。
鉄筋嵌合部及び配管嵌合部を薄肉のバンド状に形成した場合、各嵌合部が弾性変形し易く、鉄筋や配管の着脱が容易で施工性に優れる。また、下部鉄筋固定部及び上部配管固定部を一体成型することで、組み立て作業等が不要で生産性に優れる。
配管を固定する固定点の間隔は、施工する配管の外径、材質等に合わせて、４００ｍｍ〜８００ｍｍで配設することが好ましい。固定間隔が４００ｍｍより狭くなるにつれ、配管類固定具の数が不必要に増加し、施工性が低下し易くなる傾向があり、８００ｍｍより広くなるにつれ、配管の復元力に抗して確実に配管を固定することができずに配管のねじれや浮き等が生じ易くなる傾向があり、いずれも好ましくない。
【０００８】
本発明の請求項２に記載の配管類固定具は、床下面や壁裏面等の平面に配設された鉄筋に床暖房や電気配線用等の配管を固定するための配管類固定具であって、略円弧状で前記鉄筋に係止される鉄筋嵌合部と前記鉄筋嵌合部の上部に形成された平面上の当接上面部とを有する鉄筋固定部材と、平面上に形成された当接底面部と前記当接底面部の上部に形成された略円弧状で前記配管に係止される配管嵌合部とを有する配管固定部材と、前記鉄筋固定部材の前記当接上面部と前記配管固定部材の前記当接底面部を当接させて回動自在に遊嵌する嵌着機構と、を備えている構成を有している。
この構成により、請求項１の作用に加え、以下のような作用を有する。
（１）鉄筋嵌合部を有する鉄筋固定部材と配管嵌合部を有する配管固定部材が別部材で形成され、鉄筋固定部材の当接上面部と配管固定部材の当接底面部を当接させて回動自在に遊嵌する嵌着機構を有することにより、鉄筋に鉄筋固定部材が固定されていても、配管固定部材は回動出来るので、配管固定部材に嵌合されている配管を任意の方向に向けて固定することが出来、現場での施工性が向上する。
（２）嵌着機構により鉄筋固定部材と配管固定部材とを着脱自在にすることで、内径の異なる鉄筋嵌合部を有する複数の鉄筋固定部材と内径の異なる配管嵌合部を有する複数の配管固定部材を自由に組合わせて嵌着出来るので、異なる外径の複数の鉄筋及び異なる外径の複数の配管から構成される施工対象にも柔軟に対応出来る。
【０００９】
ここで、鉄筋固定部材及び配管固定部材としては前記した材料製のものが用いられる。
また、鉄筋固定部材及び配管固定部材は、配管の復元力に抗して確実に配管を固定するために必要な剛性を有する必要がある。鉄筋固定部材及び配管固定部材は、各嵌合部が略円弧状に形成され、それぞれ鉄筋及び配管を確実に嵌合し、係止出来る構造を有するものであればよい。例えば、配管固定部材の配管嵌合部への配管の嵌入方向は、配管嵌合部の開口位置によって変えることができ、上方や側方等にすることが出来る。また、配管嵌合部の縁や内周には前記した面取りを施すことができる。
鉄筋固定部材の鉄筋嵌合部の内径は６ｍｍ〜２０ｍｍ、配管固定部材の配管嵌合部の内径は１３ｍｍ〜５０ｍｍに形成することが好ましい。鉄筋嵌合部の内径を６ｍｍ〜２０ｍｍに形成することで、床下面や壁裏面等に格子状に配設される一般的な鉄筋の外径に嵌合させることができ、配管嵌合部の内径を１３ｍｍ〜５０ｍｍに形成することで、一般的な床暖房配管や電気配線用配管の外径に嵌合させることができる。これらの内径が異なる鉄筋固定部材と配管固定部材を予め用意することにより、現場で自由に組み合わせて使用することができ、汎用性、施工性に優れる。
【００１０】
鉄筋固定部材及び配管固定部材の幅は５ｍｍ〜２５ｍｍに形成される。鉄筋固定部材及び配管固定部材の幅が５ｍｍより狭くなるにつれ、鉄筋固定部材の鉄筋への固定力及び配管固定部材の配管の保持力が低下し、振動や外部からの衝撃等により鉄筋固定部材が回転したり、鉄筋から外れたり、或いは配管が配管固定部材から外れ易くなる傾向があり、幅が２５ｍｍより広くなるにつれ、配管固定部材が鉄筋固定部材に対して回動し難くなって施工性が低下する傾向があり、いずれも好ましくない。
尚、鉄筋固定部材及び配管固定部材の鉄筋嵌合部や配管嵌合部の幅をそれ以外の部分よりも狭く形成するか、鉄筋嵌合部や配管嵌合部の根元部分の幅のみをそれ以外の部分よりも狭く形成するようにしてもよい。これにより、各嵌合部が弾性変形し易く、鉄筋や配管の着脱が容易で施工性に優れる。
【００１１】
鉄筋固定部材と配管固定部材の嵌着機構は、鉄筋固定部材の当接上面部と配管固定部材の当接底面部を当接させて回動自在に遊嵌出来るものであれば、任意の構造を有する機構でよい。例えば、鉄筋固定部材の鉄筋嵌合部底部及び配管固定部材の配管嵌合部上部に貫通孔を設け、ハトメ又はネジとナットで嵌着する機構としてもよいし、鉄筋固定部材の鉄筋嵌合部底部又は配管固定部材の配管嵌合部上部のどちらか一方に貫通孔を設け、他方に円筒状で先端が傘状に開いた嵌合ピンを設けて、嵌合ピンを貫通孔に嵌入する機構とし、着脱可能とすることも出来る。
また、配管を固定する固定点の間隔は、直線部では前記と同様に行なわれ、曲線部では２００ｍｍ〜４００ｍｍとすることが好ましい。曲線部の固定間隔が２００ｍｍより狭くなるにつれ、配管類固定具の数が不必要に増加し、施工性が低下して固定具同士が干渉し易くなる傾向があり、４００ｍｍより広くなるにつれ、配管の復元力に抗して確実に配管を固定することができず所望の経路に沿って配置することが困難になると共に、配管のねじれや浮き等が生じ易くなる傾向があり、いずれも好ましくない。
【００１２】
本発明の請求項３に記載の配管類固定具は、請求項１又は２に記載の配管類固定具であって、前記鉄筋嵌合部及び／又は前記配管嵌合部の開口部両端に形成された嵌合案内部を備えている構成を有している。
この構成により、請求項１又は２の作用に加え、以下のような作用を有する。
（１）鉄筋嵌合部の開口部両端に形成された嵌合案内部を有することで、嵌合案内部を鉄筋に当接させ、押圧することにより、容易に鉄筋嵌合部を鉄筋に嵌合し、係止出来る。
（２）配管嵌合部の開口部両端に形成された嵌合案内部を有することで、嵌合案内部に配管を当接させ、押圧することにより、容易に配管を配管嵌合部に嵌合し、係止出来る。
ここで、嵌合案内部は鉄筋嵌合部や配管嵌合部の開口部両端を外方に向けて徐々に広がるテーパ状や円弧状等に面取りするか、開口部両端からテーパ部や円弧部を延設するなどして形成される。尚、開口部両端から延設された嵌合案内部を薄肉にした場合は、嵌合案内部が弾性変形して鉄筋嵌合部や配管嵌合部へ鉄筋や配管を案内し易く、施工性に優れる。
【００１３】
本発明の請求項４に記載の配管類固定具は、請求項１乃至３の内いずれか１項に記載の配管類固定具であって、前記下部鉄筋固定部又は前記鉄筋固定部材の下部に対向して配設又は延設された鉄筋案内用板ばね部と、前記鉄筋案内用板ばね部に配設又は延設された鉄筋案内部と、を備えている構成を有している。
この構成により、請求項１乃至３の内いずれか１項の作用に加え、以下のような作用を有する。
（１）下部鉄筋固定部又は鉄筋固定部材が鉄筋案内用板ばね部を有しているので、鉄筋に鉄筋嵌合部を嵌合する際に、鉄筋案内用板ばね部が弾性変形して鉄筋嵌合部の開口部を大きく開くことが出来て、より容易に鉄筋嵌合部を鉄筋に嵌合し、係止することが出来る。
（２）鉄筋に鉄筋嵌合部を嵌合する際に、鉄筋案内用板ばね部により鉄筋嵌合部は大きく開くが、嵌合後に鉄筋案内用板ばね部の弾性力により元の形状に復元するので、鉄筋嵌合部により確実に鉄筋を保持することができ、鉄筋嵌合部をより強固に鉄筋に固定することが出来る。
（３）下部鉄筋固定部又は鉄筋固定部材の下部に対向配置された鉄筋案内用板ばね部に配設又は延設された鉄筋案内部を有することで、鉄筋の両側を鉄筋案内部により案内することができるので、鉄筋の上部に鉄筋案内部を当接させて押圧するだけで容易に鉄筋嵌合部に鉄筋を嵌合させることができる。
ここで、鉄筋案内用板ばね部の幅は５ｍｍ〜１０ｍｍに形成することが好ましい。鉄筋案内用板ばね部の幅が５ｍｍより狭くなるにつれ、鉄筋案内用板ばね部の強度が低下して破損し易く、鉄筋を保持する力が低下し易くなる傾向があり、１０ｍｍより広くなるにつれ、鉄筋案内用板ばね部が弾性変形し難くなって作業性が低下する傾向があるので、いずれも好ましくない。
鉄筋案内部の形状は外方に向けて徐々に広がるテーパ形状や円弧状等に形成される。鉄筋案内部を薄肉にした場合や鉄筋案内部を鉄筋案内用板ばね部と一体に形成した場合は、鉄筋案内部も弾性変形して鉄筋嵌合部へ鉄筋を案内し易く、施工性に優れる。
【００１４】
本発明の請求項５に記載の配管類固定具は、請求項４に記載の配管類固定具であって、
前記鉄筋案内部の先端から延設され鉄筋の下面若しくは側面に当接する補助支持部を備えている構成を有している。
この構成により、請求項４の作用に加え、以下のような作用を有する。
（１）鉄筋案内部が、鉄筋の下面若しくは側面に当接する補助支持部を備えていることで、偶力により鉄筋をより確実に鉄筋嵌合部に固定することができ、鉄筋の復元力に抗して抗して鉄筋嵌合部の回転を防止できると共に、配管作業時等の振動や外力により固定が外れることを防止することができる。
ここで、補助支持部の形状をテーパ状や鉄筋の外径に合わせた円弧状に形成した場合、鉄筋の下面や側面に確実に当接させることができ配管類固定具の設置安定性に優れる。これにより、特に配管類固定具を床下面の鉄筋に固定して床暖房配管を固定する場合、配管類固定具を床下面に対して傾斜させて固定することができるので、配管から床面までの距離を確保して十分な厚さのコンクリートを打設することができ、信頼性に優れる。
【００１５】
本発明の請求項６に記載の配管類固定具は、請求項１乃至５の内いずれか１項に記載の配管類固定具であって、前記上部配管固定部又は前記配管固定部材の上部に対向して配設又は延設された配管案内用板ばね部と、前記配管案内用板ばね部に配設又は延設された配管案内部と、を備えている構成を有している。
この構成により、請求項１乃至５の内いずれか１項の作用に加え、以下のような作用を有する。
（１）上部配管固定部又は配管固定部材が配管案内用板ばね部を有しているので、配管を配管嵌合部に嵌合する際に、配管案内用板ばね部が弾性変形して配管嵌合部の開口部を大きく開くことが出来て、より容易に配管を配管嵌合部に嵌合し、係止することが出来る。
（２）配管嵌合部に配管を嵌合する際に、配管案内用板ばね部により配管嵌合部は大きく開くが、嵌合後に配管案内用板ばね部の弾性力により元の形状に復元するので、配管嵌合部により確実に配管を保持することができ、配管をより強固に配管嵌合部に固定することが出来る。
（３）上部配管固定部又は配管固定部材の上部に対向配置された配管案内用板ばね部に配設又は延設された配管案内部を有することで、配管の両側を配管案内部により案内することができるので、配管案内部の上部に配管を当接させて押圧するだけで容易に配管嵌合部に配管を嵌合させることができる。
ここで、配管案内用板ばね部の幅は１０ｍｍ〜２０ｍｍに形成することが好ましい。配管案内用板ばね部の幅が１０ｍｍより狭くなるにつれ、配管案内用板ばね部の強度が低下して破損し易く、配管を保持する力が低下し易くなる傾向があり、２０ｍｍより広くなるにつれ、配管案内用板ばね部が弾性変形し難くなって作業性が低下する傾向があるので、いずれも好ましくない。
配管案内部の形状は外方に向けて徐々に広がるテーパ形状や円弧状等に形成される。配管案内部を薄肉にした場合や配管案内部を配管案内用板ばね部と一体に形成した場合は、配管案内部も弾性変形して配管嵌合部へ配管を案内し易く、施工性に優れる。
【００１６】
本発明の請求項７に記載の配管類固定具は、請求項６に記載の配管類固定具であって、
前記配管案内部の先端から延設され前記配管の上面若しくは側面に当接する補助押圧部を備えている構成を有している。
この構成により、請求項６の作用に加え、以下のような作用を有する。
（１）配管案内部が、配管の上面若しくは側面に当接する補助押圧部を備えていることで、偶力により配管をより確実に配管嵌合部に固定することができ、配管の復元力に抗して配管が配管嵌合部から外れることを防止することができる。
ここで、補助押圧部の形状をテーパ状や配管の外径に合わせた円弧状に形成した場合、配管の上面や側面を確実に押圧することができ配管の保持安定性に優れる。
【００１７】
本発明の請求項８に記載の配管類固定具は、請求項２又は３に記載の配管類固定具であって、前記鉄筋固定部材が、内径が異なる複数の前記鉄筋嵌合部を備えている構成を有している。
この構成により、請求項２又は３の作用に加え、以下のような作用を有する。
（１）鉄筋固定部材が内径の異なる複数の鉄筋嵌合部を有することにより、１種類の配管類固定具によって、鉄筋固定部材の鉄筋嵌合部を異なる外径を有する複数の鉄筋のいずれかに嵌合し、係止することが出来る。
ここで、鉄筋嵌合部は内径の異なる複数の鉄筋嵌合部を鉄筋固定部材の底部に一列状や任意の角度で交差するように形成するか、あるいは、下方が大径、上方が小径となるように２種類の内径の鉄筋嵌合部を縦に並べて断面がダルマ状になるように形成することができる。
【００１８】
本発明の請求項９に記載の配管類固定具は、請求項２，３，８の内いずれか１項に記載の配管類固定具であって、前記配管固定部材が、内径が異なる複数の前記配管嵌合部を備えている構成を有している。
この構成により、請求項２，３，８の内いずれか１項の作用に加え、以下のような作用を有する。
（１）配管固定部材が内径の異なる複数の配管嵌合部を有することにより、１種類の配管類固定具によって、配管固定部材の配管嵌合部に異なる外径を有する複数の配管のいずれかを嵌合し、係止することが出来る。
ここで、配管嵌合部は内径の異なる複数の配管嵌合部を配管固定部材の底部に一列状や任意の角度で交差するように形成するか、あるいは、下方が小径、上方が大径となるように２種類の内径の配管嵌合部を縦に並べて断面が逆ダルマ状になるように形成することができる。
【発明の効果】
【００１９】
以上のように、本発明の配管類固定具によれば、以下のような有利な効果が得られる。
請求項１に記載の発明によれば、以下のような効果を有する。
（１）略円弧状に形成された鉄筋嵌合部と配管嵌合部を有することで、簡単な構成で鉄筋と配管を容易に固定することができ、鉄筋嵌合部の軸心と配管嵌合部の軸心が平行又は直交して形成されていることで、配管を格子状等に配設された鉄筋に対して平行又は直交させて任意の位置に配設することができ、配管の自在性に優れた配管類固定具を提供することができる。
（２）鉄筋に上方から鉄筋嵌合部の開口部を押圧するだけで容易に鉄筋の外周に鉄筋嵌合部を嵌合させて確実に固定することができ、配管嵌合部の上部又は側部に形成された開口部から容易に配管を着脱でき、配管の側部や上部を確実に保持することができるので、高度な技能や熟練を要さずに短時間で鉄筋と配管の固定を行なうことができる施工性、信頼性に優れた配管類固定具を提供することができる。
【００２０】
請求項２に記載の発明によれば、請求項１の効果に加え、以下のような効果を有する。
（１）鉄筋固定部材と配管固定部材の各当接部を回動自在に遊嵌する嵌着機構を有することにより、鉄筋に鉄筋固定部材が固定されていても、配管固定部材を回動させることが出来るので、配管固定部材に嵌合されている配管を任意の方向に向けて固定することが出来て現場での施工性に優れ、固定点において鉄筋と配管がどのような角度をなしていても、特別な固定具を新たに準備する必要がなく、１種類の配管類固定具だけで対処することができ、複数の配管類固定具の準備及び選択に関わる作業の繁雑さを軽減することが出来る汎用性に優れた配管類固定具を提供することができる。
（２）嵌着機構により鉄筋固定部材と配管固定部材とを着脱自在にすることで、内径の異なる鉄筋嵌合部を有する複数の鉄筋固定部材及び内径の異なる鉄筋嵌合部を有する複数の鉄筋固定部材を自由に組合わせて使用することが出来るので、異なる外径の複数の配管及び異なる外径の複数の鉄筋から構成される施工現場にも柔軟に対応することができる施工性、汎用性に優れた配管類固定具を提供することができる。
（３）上記の相乗効果により、配管施工にかかる工数と時間を低減することができ、費用を削減することが出来る。
【００２１】
請求項３に記載の発明によれば、請求項１又は２の効果に加え、以下のような効果を有する。
（１）鉄筋嵌合部や配管嵌合部の開口部両端に形成された嵌合案内部に鉄筋や配管を当接させて押圧するだけで鉄筋や配管を鉄筋嵌合部や配管嵌合部に案内することができ、容易に鉄筋嵌合部や配管嵌合部に嵌合させて短時間で鉄筋と配管の固定を行なうことができる施工性に優れた配管類固定具を提供することができる。
【００２２】
請求項４に記載の発明によれば、請求項１乃至３の効果に加え、以下のような効果を有する。
（１）鉄筋に鉄筋嵌合部を嵌合する際に、下部鉄筋固定部又は鉄筋固定部材の鉄筋案内用板ばね部が弾性変形して鉄筋嵌合部の開口部を大きく開くことが出来、鉄筋案内部により鉄筋を案内して容易に鉄筋を鉄筋嵌合部に嵌合し、係止することが出来るので、高度な技能や熟練を要さずに短時間で配管類固定具を鉄筋に固定することが出来ると共に、嵌合後は鉄筋案内用板ばね部の弾性力によって鉄筋嵌合部が元の形状に復元することで、確実に鉄筋を保持して強固に固定することが出来る信頼性の高い固定作業が可能となる。
【００２３】
請求項５に記載の発明によれば、請求項４の効果に加え、以下のような効果を有する。
（１）鉄筋に当接する補助支持部によって鉄筋嵌合部をより確実に鉄筋に固定することができ、配管の復元力に抗して鉄筋嵌合部の回転を防止でき配管固定の確実性と信頼性に優れると共に、配管作業時等の振動や外力により固定が外れることを防止することができ、現場での作業性を向上させることができる。
【００２４】
請求項６に記載の発明によれば、請求項１乃至５の効果に加え、以下のような効果を有する。
（１）配管を配管嵌合部に嵌合する際に、上部配管固定部又は配管固定部材の配管案内用板ばね部が弾性変形して配管嵌合部の開口部を大きく開くことが出来、配管案内部により配管を案内してより容易に配管を配管嵌合部に嵌合し、係止することが出来ると共に、嵌合後に配管案内用板ばね部の弾性力により配管嵌合部が元の形状に復元することにより、確実に配管を保持して強固に固定することが出来る信頼性の高い固定作業が可能となる。
【００２５】
請求項７に記載の発明によれば、請求項６の効果に加え、以下のような効果を有する。
（１）配管に当接する補助押圧部によって、配管をより確実に配管嵌合部に固定することができ、配管の復元力に抗して配管が配管嵌合部から外れることを防止することができ、配管固定の確実性と信頼性に優れる。
【００２６】
請求項８に記載の発明によれば、請求項２又は３の効果に加え、以下のような効果を有する。
（１）１種類の配管類固定具によって、鉄筋固定部材の鉄筋嵌合部を異なる外径を有する複数の鉄筋のいずれかに嵌合し、係止出来るので汎用性に優れ、鉄筋が外径の異なる複数の鉄筋で構成されていても、異なる種類の複数の配管類固定具を新たに準備する必要がなく、配管類固定具の準備及び選択に関わる作業の繁雑さを軽減することが出来ると共に、設計製作にかかる工数を低減でき生産性に優れる。
【００２７】
請求項９に記載の発明によれば、請求項２，３，８の効果に加え、以下のような効果を有する。
（１）１種類の配管類固定具によって、配管固定部材の配管嵌合部を異なる外径を有する複数の配管のいずれかに嵌合し、係止出来るので汎用性に優れ、配管が外径の異なる複数の配管で構成されていても、異なる種類の複数の配管類固定具を新たに準備する必要がなく、配管類固定具の準備及び選択に関わる作業の繁雑さを軽減することが出来ると共に、設計製作にかかる工数を低減でき生産性に優れる。
【発明を実施するための最良の形態】
【００２８】
以下、本発明の実施の形態について、以下図面を参照しながら説明する。
（実施の形態１）
図１（ａ）は本発明の実施の形態１における配管類固定具を示す全体斜視図であり、図１（ｂ）は本発明の実施の形態１における配管類固定具を示す側面図である。
図１中、１は配管類固定具、２は配管類固定具１の下部鉄筋固定部、２ａは下部鉄筋固定部２に下部が開口した略円弧状に形成され床下面や壁裏面等の平面に配設された鉄筋３５に嵌合される鉄筋嵌合部、２ｂは下部鉄筋固定部２の両側に対向して形成され弾性変形により鉄筋嵌合部２ａの開口部を拡開させる鉄筋案内用板ばね部、２ｃは鉄筋案内用板ばね部２ｂに延設してテーパ状に形成され鉄筋３５を鉄筋嵌合部２ａへ案内する鉄筋案内部、２ｄは鉄筋案内部２ｃに延設して直線状又は円弧状に形成され鉄筋３５の底面や側面に当接する補助支持部、３は配管類固定具１の上部配管固定部、３ａは上部配管固定部３に略円弧状に形成され側部の開口部３ｂから床暖房や電気配線用等の配管４０が嵌合される配管嵌合部、３ｃは配管嵌合部３ａの開口部３ｂの両端から外方に向かって拡開した円弧状の嵌合案内部である。
【００２９】
配管類固定具１は鉄筋嵌合部２ａと配管嵌合部３ａの軸芯が平行になるようポリプロピレン、ポリエチレン、硬質ゴム、ポリ塩化ビニル樹脂等の合成樹脂で一体に成型した。鉄筋嵌合部２ａと配管嵌合部３ａの軸芯を平行にすることで、鉄筋３５に沿って配管４０を確実に固定することができる。
鉄筋嵌合部２ａ及び配管嵌合部３ａがそれぞれ形成される下部鉄筋固定部２及び上部配管固定部３の幅は５ｍｍ〜２５ｍｍに形成した。下部鉄筋固定部２及び上部配管固定部３の幅が５ｍｍより狭くなるにつれ、鉄筋嵌合部２ａの鉄筋３５への固定力及び配管嵌合部３ａの配管４０の保持力が低下し、振動や外部からの衝撃等により配管類固定具１が鉄筋３５に対して回転したり、鉄筋３５から外れたり、或いは配管４０が配管嵌合部３ａから外れ易くなる傾向があり、幅が２５ｍｍより広くなるにつれ、配管嵌合部３ａの開口部３ｂが開き難く、配管４０との着脱が困難になると共に、生産性や取り扱い性が低下する傾向があることがわかった。
略円弧状に形成された鉄筋嵌合部２ａ及び配管嵌合部３ａの円弧部の内径は、それぞれ６ｍｍ〜２０ｍｍ、及び１３ｍｍ〜５０ｍｍに形成した。鉄筋嵌合部２ａの円弧部の内径を６ｍｍ〜２０ｍｍに形成することで、床下面や壁裏面等に格子状に配設される一般的な鉄筋の外径に嵌合させることができ、配管嵌合部３ａの円弧部の内径を１３ｍｍ〜５０ｍｍに形成することで、一般的な床暖房配管や電気配線用配管の外径に嵌合させることができる。
鉄筋案内用板ばね部２ｂの幅は５ｍｍ〜１０ｍｍに形成した。鉄筋案内用板ばね部２ｂの幅が５ｍｍより狭くなるにつれ、鉄筋案内用板ばね部２ｂの強度が低下して破損し易く、鉄筋３５を保持する力が低下し易くなる傾向があり、１０ｍｍより広くなるにつれ、鉄筋案内用板ばね部２ｂが弾性変形し難くなって作業性が低下する傾向があることがわかった。
鉄筋案内部２ｃを鉄筋案内用板ばね部２ｂと同様に薄肉で幅を狭く形成することで、鉄筋案内用板ばね部２ｂと共に弾性変形して鉄筋３５を鉄筋嵌合部２ａに案内できる。
補助支持部２ｄを鉄筋３５の外径に合わせて円弧状に形成することで、鉄筋３５を鉄筋嵌合部２ａに嵌合させた際に、鉄筋３５の下部側面を押圧して鉄筋３５の上面を鉄筋嵌合部２ａの上面に押し付け支持することができる。補助支持部２ｄを形成しない場合は、鉄筋案内部２ｃの頂部で鉄筋３５の下部側面を押圧して支持することができる。
配管嵌合部３ａに開口部３ｂの両端から外方に向かって拡開した円弧状の嵌合案内部３ｃを形成することで、開口部３ｂから配管嵌合部３ａへ配管４０を案内して配管４０の着脱を容易にすることができる。
【００３０】
図２（ａ）は実施の形態１の変形例を示す全体斜視図であり、図２（ｂ）は実施の形態１の変形例を示す側面図である。尚、図１と同様のものには同一の符号を付して説明を省略する。
図２の変形例が本実施の形態１の配管類固定具と異なるのは、配管類固定具１１の鉄筋嵌合部２ａと配管嵌合部３ａの軸芯が直交するように形成されている点と、配管嵌合部３ａの開口部３ｂが上部に形成されている点である。
鉄筋嵌合部２ａと配管嵌合部３ａの軸芯を直交させることで、鉄筋３５の長手方向に対して直交するように配管４０を固定できる。
【００３１】
次に、鉄筋嵌合部２ａにおける鉄筋３５の嵌合状態について図面を用いて説明する。図３は鉄筋嵌合部の嵌合状態を示す説明図である。
鉄筋嵌合部２ａを鉄筋３５に嵌合させる際には、鉄筋案内部２ｃを鉄筋３５の上面に当接させて下方に押し込むことで、仮想線で示したように鉄筋案内用板ばね部２ｂ及び鉄筋案内部２ｃを外方（矢印ａ方向）に向かって弾性変形させ、鉄筋嵌合部２ａへ鉄筋３５を嵌合させる。その後、鉄筋案内用板ばね部２ｂ及び鉄筋案内部２ｃは復元力により元の位置（矢印ｂ方向）に復帰し、補助支持部２ｄにより鉄筋３５の底面や側面を支持する。補助支持部２ｄを形成しない場合は、鉄筋案内部２ｃの端部で鉄筋３５の下部側面を支持する。
【００３２】
以上のように実施の形態１における配管類固定具は構成されているので、以下の作用を有する。
（１）下部が開口し鉄筋３５に嵌合される略円弧状の鉄筋嵌合部２ａと、上部又は側部等が開口し配管が嵌合される略円弧状の配管嵌合部３と、を有するので、嵌合するだけで鉄筋３５に容易に配管４０を固定することができる。また、鉄筋嵌合部２ａの軸心と配管嵌合部３ａの軸心が平行又は直交して形成されているので、配管４０を鉄筋３５に対して平行又は直交させて配設することができ、配管４０の自在性に優れる。
（２）鉄筋嵌合部２ａの下部が開口して形成されているので、鉄筋３５の上方から鉄筋嵌合部２ａを押圧して容易に鉄筋３５の外周に鉄筋嵌合部２ａを嵌合させて確実に固定することができる。
（３）配管嵌合部３ａの上部又は側部等が開口して形成され、開口部３ｂの両端から外方に向かって拡開した円弧状の嵌合案内部３ｃを有しているので、配管嵌合部３ａの上部又は側部から容易に配管４０を着脱することができ、配管嵌合部３ａで配管４０の側部や上部を確実に保持して固定することができる。
（４）下部鉄筋固定部２が外方に向かって拡開した鉄筋案内部２ｃを有しているので、鉄筋案内部２ｃを鉄筋３５に当接させ、押圧することにより、容易に鉄筋嵌合部２ａを鉄筋３５に嵌合し、係止することが出来る。
（５）下部鉄筋固定部２が鉄筋案内用板ばね部２ｂを有しているので、鉄筋３５に鉄筋嵌合部２ａを嵌合する際に、鉄筋案内用板ばね部２ｂが弾性変形して鉄筋嵌合部２ａの開口部を大きく開くことが出来て、より容易に鉄筋嵌合部２ａを鉄筋３５に嵌合し、係止することが出来る。
（６）鉄筋３５に鉄筋嵌合部２ａを嵌合する際に、鉄筋案内用板ばね部２ｂにより鉄筋嵌合部２ａは大きく開くが、嵌合後に鉄筋案内用板ばね部２ｂの弾性力により元の形状に復元するので、鉄筋嵌合部２ａにより確実に鉄筋３５を保持することができ、鉄筋嵌合部２ａをより強固に鉄筋３５に固定することが出来る。
（７）鉄筋嵌合部２ａが、鉄筋３５を支持する補助支持部２ｄを備えていることで、偶力により鉄筋嵌合部２ａをより確実に鉄筋３５に固定することができ、配管４０の復元力に抗して鉄筋嵌合部２ａの回転を防止できると共に、配管作業時等の振動や外力により固定が外れることを防止することができる。
【００３３】
（実施の形態２）
実施の形態２における配管類固定具について、以下、図面を用いて説明する。尚、実施の形態１と同様のものには同一の符号を付して説明を省略する。
図４は本発明の実施の形態２における配管類固定具を示す全体斜視図である。
図４において実施の形態２における配管類固定具２１が実施の形態１と異なるのは、鉄筋嵌合部２ａ及び配管嵌合部３ａがそれぞれ別部材である鉄筋固定部材１２及び配管固定部材１３に形成され鉄筋固定部材１２の当接上面部１２ａと配管固定部材１３の当接底面部１３ａで当接されて嵌着機構１５により回動自在に遊嵌されている点と、鉄筋固定部材１２の鉄筋嵌合部２ａの外周部に肉抜き部２ｅが形成されている点である。
鉄筋固定部材１２の鉄筋嵌合部２ａの外周部に肉抜き部２ｅを形成することで、鉄筋固定部材１２の軽量化を図っている。
次に、嵌着機構１５について図面を用いて説明する。図５（ａ）は嵌着機構の詳細を示す要部断面側面図であり、図５（ｂ）は嵌着機構の変形例を示す要部断面側面図である。
図５（ａ）中、１２ｂは鉄筋固定部材１２の当接上面部１２ａに穿設された円筒嵌合側貫通孔、１２ｃは円筒嵌合側貫通孔１２ｂの外周に形成されたザグリ部、１３ｂは配管固定部材１３の当接底面部１３ａに穿設された配管嵌合側貫通孔、１３ｃは配管嵌合側貫通孔１３ｂの外周に形成されたザグリ部、１５ａは円筒嵌合側貫通孔１２ｂ及び配管嵌合側貫通孔１３ｂに挿通固定され鉄筋固定部材１２と配管固定部材１３を回動自在に遊嵌する嵌着機構としてのリベットである。尚、リベット１５ａの代わりにボルトとナットを用いて固定してもよい。円筒嵌合側貫通孔１２ｂ及び配管嵌合側貫通孔１３ｂの外周にそれぞれザグリ部１２ｃ、１３ｃが形成されていることで、リベット１５ａの頭部が鉄筋嵌合部２ａに嵌合される鉄筋３５や配管嵌合部３に嵌合される配管４０に干渉せず、確実に固定することができる。
図５（ｂ）の変形例が本実施の形態２の嵌着機構と異なるのは、配管嵌合部３ａの当接底面部１３ａに配管固定部材１３と一体に形成された先割れの嵌合ピン１３ｄが鉄筋固定部材１２の円筒嵌合側貫通孔１２ｂに嵌入されている点である。嵌着機構１５としての嵌合ピン１３ｄが配管固定部材１３と一体に形成されていることにより、部品点数を低減することができ生産性に優れる。また、嵌合ピン１３ｄが先割れ形状に形成されていることで、容易に円筒嵌合側貫通孔１２ｂに嵌入することができ、現場での組み立て、施工性に優れる。
【００３４】
次に、実施の形態２における配管類固定具の使用方法について図面を用いて説明する。
図６は実施の形態２における配管類固定具の使用状態を示す模式図である。
３６は床下面等に格子状に配設された鉄筋３５によって形成されたメッシュ筋であり、鉄筋３５に対し床暖房用等の配管４０を配管類固定具２１を用いて固定している。配管類固定具２１の鉄筋固定部材１２と配管固定部材１３が回動自在に形成されていることで、配管４０の要所を鉄筋３５に対して任意の角度で固定することができる。尚、鉄筋３５と配管４０が平行又は直交して配置される箇所においては、実施の形態１で示した配管類固定具１又は配管類固定具１１を使用することができる。
【００３５】
以上のように実施の形態２における配管類固定具は構成されているので、実施の形態１で得られる作用の他、以下の作用を有する。
（１）鉄筋嵌合部２ａを有する鉄筋固定部材１２と配管嵌合部３ａを有する配管固定部材１３が別部材で形成され、各部材の当接部を回動自在に遊嵌する嵌着機構１５を有することにより、メッシュ筋３６の鉄筋３５に鉄筋固定部材１２が固定されていても、配管固定部材１３を回動させることができ、配管固定部材１３に嵌合されている配管４０を任意の方向に向けて固定することが出来るので、特に曲線状に配置された配管４０を確実に固定することができ設計の自由度を向上させることができると共に、現場での施工性、汎用性に優れる。
（２）嵌着機構１５により鉄筋固定部材１２と配管固定部材１３とを着脱自在にすることで、内径の異なる鉄筋嵌合部２ａを有する複数の鉄筋固定部材１２と内径の異なる鉄筋嵌合部３ａを有する複数の鉄筋固定部材１３を自由に組み合わせて嵌着することが出来るので、異なる外径を有する複数の配管４０を異なる外径を有する複数の鉄筋３５から構成されるメッシュ筋３６に対しても固定することができ柔軟性に優れる。
（３）円筒嵌合側貫通孔１２ｂ及び配管嵌合側貫通孔１３ｂの外周にそれぞれザグリ部１２ｃ、１３ｃが形成されていることで、リベット１５ａや嵌合ピン１３ｄ等の嵌着機構１５の頭部等が鉄筋嵌合部２ａに嵌合される鉄筋３５や配管嵌合部３に嵌合される配管４０に干渉せず、確実に安定して鉄筋３５と配管４０を固定することができる。
（４）嵌着機構１５として嵌合ピン１３ｄが配管固定部材１３と一体に形成されていることで、部品点数を低減することができ生産性に優れると共に、現場での鉄筋固定部材１２と配管固定部材１３の嵌着時の作業性を向上させることができる。
【００３６】
（実施の形態３）
実施の形態３における配管類固定具について、以下、図面を用いて説明する。尚、実施の形態２と同様のものには同一の符号を付して説明を省略する。
図７（ａ）は本発明の実施の形態３における配管類固定具の鉄筋固定部材を示す背面側の全体斜視図であり、図７（ｂ）は本発明の実施の形態３における配管類固定具の配管固定部材を示す全体斜視図である。
図７（ａ）において実施の形態３における配管類固定具の鉄筋固定部材が実施の形態２と異なるのは、鉄筋固定部材２２の底部に内径の異なる２つの鉄筋嵌合部２２ａ、２２ｂが直交して形成され、鉄筋嵌合部２２ａ、２２ｂのそれぞれの開口部の両端に外方に向かって拡開したテーパ状の嵌合案内部２２ｃが形成されている点である。
図７（ｂ）において実施の形態３における配管類固定具の配管固定部材が実施の形態２と異なるのは、配管固定部材２３の上部に内径の異なる２つの配管嵌合部２３ａ、２３ｂが直交して形成され、配管嵌合部２３ａ、２３ｂのそれぞれの開口部の両端に外方に向かって拡開したテーパ状の嵌合案内部２３ｃが形成されている点である。
尚、実施の形態３における配管類固定具の鉄筋固定部材２２は、実施の形態２における配管類固定具２１の配管固定部材１３や実施の形態３における配管類固定具の配管固定部材２３と組合せて使用することができる。また、実施の形態３における配管類固定具の配管固定部材２３は実施の形態２における配管類固定具２１の鉄筋固定部材１２と組合せて使用することができる。
【００３７】
本実施の形態では、内径の異なる２つの鉄筋嵌合部２２ａ、２２ｂ及び配管嵌合部２３ａ、２３ｂはそれぞれ直交しているが、平行に設けることや任意の角度で交差して設けることもできる。また、内径が異なる２つの鉄筋嵌合部２２ａ、２２ｂを使用時に下方が大径の鉄筋嵌合部２２ａ、上方が小径の鉄筋嵌合部２２ｂとなるように縦に並べて断面がダルマ状になるように形成してもよい。配管嵌合部２３ａ、２３ｂの場合は、下方が小径の配管嵌合部２３ｂ、上方が大径の配管嵌合部２３ａとなるように縦に並べて断面が逆ダルマ状になるようにして形成することができる。
本実施の形態では、内径の異なる鉄筋嵌合部及び配管嵌合部は２つであるが、さらに内径の異なる多数の鉄筋嵌合部を形成することも出来る。
鉄筋固定部材２２及び配管固定部材２３をポリプロピレン等の合成樹脂あるいは硬質ゴム等の容易に弾性変形可能な材質で製作し、嵌合時に鉄筋嵌合部２２ａ又は２２ｂ及び配管嵌合部２３ａ又は２３ｂに鉄筋３５及び配管４０を係合して押圧することにより、鉄筋嵌合部２２ａ又は２２ｂ及び配管嵌合部２３ａ又は２３ｂが鉄筋３５及び配管４０を嵌合可能な開度に一時的に開き、鉄筋３５及び配管４０が嵌合された後、弾性力によって元の形状に復帰し、鉄筋３５及び配管４０を係止する。
【００３８】
以上のように実施の形態３における配管類固定具は構成されているので、実施の形態２で得られる作用の他、以下の作用を有する。
（１）鉄筋固定部材２２が内径の異なる複数の鉄筋嵌合部２２ａ、２２ｂを有することにより、１種類の配管類固定具によって、鉄筋固定部材２２の鉄筋嵌合部２２ａ、２２ｂを異なる外径を有する複数の鉄筋３５のいずれかに嵌合し、係止することが出来るので汎用性に優れる。
（２）配管固定部材２３が内径の異なる複数の配管嵌合部２３ａ、２３ｂを有することにより、１種類の配管類固定具によって、配管固定部材２３の配管嵌合部２３ａ、２３ｂに異なる外径を有する複数の配管４０のいずれかを嵌合し、係止することが出来るので汎用性に優れる。
（３）鉄筋嵌合部２２ａ、２２ｂ及び配管嵌合部２３ａ、２３ｂがそれぞれ嵌合案内部２２ｃ、２３ｃを有することで、鉄筋嵌合部２２ａ、２２ｂ及び配管嵌合部２３ａ、２３ｂに鉄筋３５及び配管４０を案内することができ、容易に嵌合させることができるので、現場での作業性を向上させることができる。
【００３９】
（実施の形態４）
実施の形態４における配管類固定具について、以下、図面を用いて説明する。尚、実施の形態１と同様のものには同一の符号を付して説明を省略する。
図８は本発明の実施の形態４における配管類固定具を示す全体斜視図である。
図８において実施の形態４における配管類固定具が実施の形態１と異なるのは、配管類固定具３１の上部配管固定部３の両側に弾性変形により配管嵌合部３３ａの開口部を拡開させる配管案内用板ばね部３３ｂが形成されている点と、配管案内用板ばね部３３ｂに延設して配管４０を配管嵌合部３３ａへ案内するテーパ状の配管案内部３３ｃが形成されている点と、配管案内部３３ｃに延設して配管４０の上面や側面に当接する直線状や円弧状の補助押圧部３３ｄが形成されている点である。
尚、配管嵌合部３３ａの中央に山部を形成し、二本の配管４０が嵌合できるようにしてもよい。
【００４０】
以上のように実施の形態４における配管類固定具は構成されているので、実施の形態１で得られる作用の他、以下の作用を有する。
（１）上部配管固定部３が外方に向かって拡開した配管案内部３３ｃを有しているので、配管案内部３３ｃに配管を当接させ、押圧することにより、容易に配管を配管嵌合部３３ａに嵌合し、係止することが出来る。
（２）上部配管固定部３が配管案内用板ばね部３３ｂを有しているので、配管を配管嵌合部３３ａに嵌合する際に、配管案内用板ばね部３３ｂが弾性変形して配管嵌合部３３ａの開口部を大きく開くことが出来て、より容易に配管を配管嵌合部３３ａに嵌合し、係止することが出来る。
（３）配管嵌合部３３ａに配管を嵌合する際に、配管案内用板ばね部３３ｂにより配管嵌合部は大きく開くが、嵌合後に配管案内用板ばね部３３ｂの弾性力により元の形状に復元するので、配管嵌合部３３ａにより確実に配管を保持することができ、配管をより強固に配管嵌合部３３ａに固定することが出来る。
（４）上部配管固定部３が、配管に当接する補助押圧部３３ｄを備えていることで、偶力によって配管をより確実に配管嵌合部３３ａに固定することができ、配管の復元力に抗して配管が配管嵌合部３３ａから外れることを防止することができる。
（５）下部鉄筋固定部２と上部配管固定部３が同様の形状を有することで、鉄筋や配管の径に応じて上下を入れ替えて使用することができ汎用性に優れる。
【産業上の利用可能性】
【００４１】
本発明は、主として床暖房配管又は電気配線用配管等の配管を、床裏面等に配設された鉄筋に簡単に固定することが出来る簡素な構造を有する配管類固定具に関するものであり、特に、配管の施工と配管類固定具の設計製作にかかる工数を低減することが出来ると共に、鉄筋径と配管径の多数の組み合わせに対応可能とすることが出来る。
【図面の簡単な説明】
【００４２】
【図１】（ａ）本発明の実施の形態１における配管類固定具を示す全体斜視図  （ｂ）本発明の実施の形態１における配管類固定具を示す側面図
【図２】（ａ）実施の形態１の変形例を示す全体斜視図  （ｂ）実施の形態１の変形例を示す側面図
【図３】鉄筋嵌合部の嵌合状態を示す説明図
【図４】本発明の実施の形態２における配管類固定具を示す全体斜視図
【図５】（ａ）嵌着機構の詳細を示す要部断面側面図  （ｂ）嵌着機構の変形例を示す要部断面側面図
【図６】実施の形態２における配管類固定具の使用状態を示す模式図
【図７】（ａ）本発明の実施の形態３における配管類固定具の鉄筋固定部材を示す背面側の全体斜視図  （ｂ）本発明の実施の形態３における配管類固定具の配管固定部材を示す全体斜視図
【図８】本発明の実施の形態４における配管類固定具を示す全体斜視図
【符号の説明】
【００４３】
１、１１、２１、３１  配管類固定具
２  下部鉄筋固定部
２ａ、２２ａ、２２ｂ  鉄筋嵌合部
２ｂ  鉄筋案内用板ばね部
２ｃ  鉄筋案内部
２ｄ  補助支持部
２ｅ  肉抜き部
３  上部配管固定部
３ａ、２３ａ、２３ｂ、３３ａ  配管嵌合部
３ｂ  開口部
３ｃ、２２ｃ、２３ｃ  嵌合案内部
１２、２２  鉄筋固定部材
１２ａ  当接上面部
１２ｂ  円筒嵌合側貫通孔
１２ｃ  ザグリ部
１３、２３  配管固定部材
１３ａ  当接底面部
１３ｂ  配管嵌合側貫通孔
１３ｃ  ザグリ部
１３ｄ  嵌合ピン
１５  嵌着機構
１５ａ  リベット
３３ｂ  配管案内用板ばね部
３３ｃ  配管案内部
３３ｄ  補助押圧部
３５  鉄筋
３６  メッシュ筋
４０  配管
【図１】
2005147182.tif 000003
【図２】
2005147182.tif 000004
【図３】
2005147182.tif 000005
【図４】
2005147182.tif 000006
【図５】
2005147182.tif 000007
【図６】
2005147182.tif 000008
【図７】
2005147182.tif 000009
【図８】
2005147182.tif 000010